(57)【要約】【課題】主に、スライド操作口２４からの光漏れの防止と、設計上の自由度を向上し得るようにする。【解決手段】  上記したスライド操作口２４の近傍に、上記した光源２１からの光が上記したスライド操作口２４から外部へ漏れないようにするための漏光防止部３１を設け、  該漏光防止部３１が、上記した表示パネル２３の裏面に設けられて、上記したスライド操作口２４の周囲を少なくとも部分的に覆う内側遮光壁部３２と、上記したコントローラ本体２２の内部に設けられて、上記した内側遮光壁部３２の外側を少なくとも部分的に覆う外側遮光壁部３３と、を有する多重壁部３４で構成されるようにしている。【選択図】図１
2014148187.tif 000002
【特許請求の範囲】
【請求項１】
内部に光源が設置されるコントローラ本体と、
該コントローラ本体の表面に光源を覆うように取付けられることにより、照明表示が可能とされた表示パネルと、
該表示パネルに形成された長孔状のスライド操作口と、
前記コントローラ本体に取付けられて、少なくとも先端部が前記スライド操作口に沿ってスライド可能なスライドレバーとを有する空調コントローラにおいて、
前記スライド操作口の近傍に、前記光源からの光が前記スライド操作口から外部へ漏れないようにするための漏光防止部を設け、
該漏光防止部が、前記表示パネルの裏面に設けられて、前記スライド操作口の周囲を少なくとも部分的に覆う内側遮光壁部と、前記コントローラ本体の内部に設けられて、前記内側遮光壁部の外側を少なくとも部分的に覆う外側遮光壁部と、を有する多重壁部で構成されたことを特徴とする空調コントローラ。
【請求項２】
前記内側遮光壁部と外側遮光壁部とが、前記表示パネルの裏面とコントローラ本体の内部との互いに対向する位置から突設されて、互いに嵌合可能な嵌合部とされたことを特徴とする請求項１記載の空調コントローラ。
【請求項３】
前記外側遮光壁部の少なくとも下辺部が、前記コントローラ本体に対して取外可能な別付壁部とされたことを特徴とする請求項１または請求項２記載の空調コントローラ。
【請求項４】
前記スライドレバーが、前記コントローラ本体に対し、スライド機構を介して取付けられ、
該スライド機構が、前記コントローラ本体に設けられたスライドガイド部と、前記スライドレバーの奥側端部に設けられて、前記スライドガイド部に沿ってスライドするスライド体とを有すると共に、
前記外側遮光壁部が、前記スライドガイド部の周囲に設けられ、
更に、前記スライドレバーと前記コントローラ本体との間に、コントローラ本体の外側に位置するリンク部材に接続するための外部接続用構造部が設けられ、
該外部接続用構造部が、前記スライド体の上部に設けられて、前記リンク部材を接続するための接続用突出部と、前記コントローラ本体における、前記外側遮光壁部の上辺部よりも奥側に設けられて、前記接続用突出部をコントローラ本体の外側へ取出すための接続用開口部とを有し、
前記スライドガイド部の少なくとも一部が、前記別付壁部と一体に取外可能に構成されたことを特徴とする請求項３に記載の空調コントローラ。
【請求項５】
前記内側遮光壁部と外側遮光壁部との間に形成される隙間部が、内部に入った光を減衰させる光減衰部を有することを特徴とする請求項２ないし請求項４のいずれか１項に記載の空調コントローラ。
【請求項６】
前記表示パネルにおける、前記スライド操作口の上側に、光源からの光によって照明表示可能な上部表示部が設けられ、前記外側遮光壁部の上側に、光源からの光を前記上部表示部へ導くガイドレンズが設置されたことを特徴とする請求項１ないし請求項５のいずれか１項に記載の空調コントローラ。
【請求項７】
前記内側遮光壁部が、操作時にスライドレバーの下面を支持可能とされたことを特徴とする請求項１ないし請求項６のいずれか１項に記載の空調コントローラ。
【発明の詳細な説明】
【技術分野】
【０００１】
この発明は、空調コントローラに関するものである。
【背景技術】
【０００２】
自動車などの車両には、車室内の前部にインストルメントパネルが設置されている。このインストルメントパネルの車幅方向の中央部などには、空調装置を操作するための空調コントローラが設けられている（例えば、特許文献１参照）。
【０００３】
特許文献１の空調コントローラは、中央に集中照明表示部を有する表示パネルと、この表示パネルにおける集中照明表示部の裏面側全体を覆うランプハウスと、このランプハウスに取付けられた光源とを備えたものとされている。
【０００４】
上記した表示パネルには、集中照明表示部の上部や下部などに、操作レバーを通すための長孔状のスライド操作溝が形成されている。
【先行技術文献】
【特許文献】
【０００５】
【特許文献１】実開昭６２−３１２８７号公報
【発明の概要】
【発明が解決しようとする課題】
【０００６】
しかしながら、上記特許文献１に記載された空調コントローラには、以下のような問題があった。
【０００７】
即ち、集中照明表示部の裏面側全体をランプハウスで覆って、集中照明表示部全体を照明するようにしていたため、照明表示をしたい部分を集中照明表示部に全てまとめなければならず、照明設計（デザインや構造）の自由度が低かった。
【０００８】
また、照明表示をしたい部分（以下、個別照明表示部という）を複数箇所に分散して配置するようにしたい場合には、個別照明表示部のそれぞれに対して、ランプハウスと光源とを設けるようにすることが行われていたため、空調コントローラの内部構造が複雑になると共に、部品コストがかかるという問題があった。
【０００９】
一方、近年の空調コントローラにおいては、操作性を向上するため、および、デザインの自由度を向上するためなどの理由によって、個別照明表示部が、複数箇所に分散して配置されることが多く、これらの個別照明表示部のそれぞれに対し、ガイドレンズを用いて光源からの光を導くようにすることが一般的となっている。そのため、分散された複数の個別照明表示部を１つのランプハウスで覆うような上記した構造を採用するのは困難となっている。
【００１０】
しかし、空調コントローラには、操作レバーを通すための長孔状のスライド操作溝が存在しているため、光源からの光をガイドレンズを用いて導くようにした場合には、スライド操作溝から外部への光漏れが問題となる。
【課題を解決するための手段】
【００１１】
上記課題を解決するために、本発明は、請求項１に記載された発明は、内部に光源が設置されるコントローラ本体と、該コントローラ本体の表面に光源を覆うように取付けられることにより、照明表示が可能とされた表示パネルと、該表示パネルに形成された長孔状のスライド操作口と、前記コントローラ本体に取付けられて、少なくとも先端部が前記スライド操作口に沿ってスライド可能なスライドレバーとを有する空調コントローラにおいて、前記スライド操作口の近傍に、前記光源からの光が前記スライド操作口から外部へ漏れないようにするための漏光防止部を設け、該漏光防止部が、前記表示パネルの裏面に設けられて、前記スライド操作口の周囲を少なくとも部分的に覆う内側遮光壁部と、前記コントローラ本体の内部に設けられて、前記内側遮光壁部の外側を少なくとも部分的に覆う外側遮光壁部と、を有する多重壁部で構成されたことを特徴とする。
【００１２】
請求項２に記載された発明は、上記において、前記内側遮光壁部と外側遮光壁部とが、前記表示パネルの裏面とコントローラ本体の内部との互いに対向する位置から突設されて、互いに嵌合可能な嵌合部とされたことを特徴とする。
【００１３】
請求項３に記載された発明は、上記において、前記外側遮光壁部の少なくとも下辺部が、前記コントローラ本体に対して取外可能な別付壁部とされたことを特徴とする。
【００１４】
請求項４に記載された発明は、上記において、前記スライドレバーが、前記コントローラ本体に対し、スライド機構を介して取付けられ、該スライド機構が、前記コントローラ本体に設けられたスライドガイド部と、前記スライドレバーの奥側端部に設けられて、前記スライドガイド部に沿ってスライドするスライド体とを有すると共に、前記外側遮光壁部が、前記スライドガイド部の周囲に設けられ、更に、前記スライドレバーと前記コントローラ本体との間に、コントローラ本体の外側に位置するリンク部材に接続するための外部接続用構造部が設けられ、該外部接続用構造部が、前記スライド体の上部に設けられて、前記リンク部材を接続するための接続用突出部と、前記コントローラ本体における、前記外側遮光壁部の上辺部よりも奥側に設けられて、前記接続用突出部をコントローラ本体の外側へ取出すための接続用開口部とを有し、前記スライドガイド部の少なくとも一部が、前記別付壁部と一体に取外可能に構成されたことを特徴とする。
【００１５】
請求項５に記載された発明は、上記において、前記内側遮光壁部と外側遮光壁部との間に形成される隙間部が、内部に入った光を減衰させる光減衰部を有することを特徴とする。
【００１６】
請求項６に記載された発明は、上記において、前記表示パネルにおける、前記スライド操作口の上側に、光源からの光によって照明表示可能な上部表示部が設けられ、前記外側遮光壁部の上側に、光源からの光を前記上部表示部へ導くガイドレンズが設置されたことを特徴とする。
【００１７】
請求項７に記載された発明は、上記において、前記内側遮光壁部が、操作時にスライドレバーの下面を支持可能とされたことを特徴とする。
【発明の効果】
【００１８】
請求項１に記載された発明によれば、上記構成によって、以下のような作用効果を得ることができる。即ち、コントローラ本体と表示パネルとによって空調コントローラの外形形状がほぼ形成される。そして、コントローラ本体内部に設置された光源を点灯することにより、表示パネルが照明表示される。表示パネルに形成されたスライド操作口からは、スライドレバーの先端部が突出される。スライドレバーは、先端部をスライド操作口に沿ってスライドさせることにより、手動で操作することができる。そして、スライド操作口の近傍に漏光防止部を設けることによって、空調コントローラに部分的に設けられる漏光防止部にて、光源からの光がスライド操作口から外部へ漏れないようにすることができる。この際、漏光防止部を、表示パネルの裏面に設けられて、スライド操作口の周囲を少なくとも部分的に覆う内側遮光壁部と、コントローラ本体の内部に設けられて、内側遮光壁部の外側を少なくとも部分的に覆う外側遮光壁部とを有する多重壁部とすることによって、効果的に光漏れを防止することができる。そして、スライド操作口の周囲以外の部分に対しては、光源からの光を、容易に行き渡らせることができる。その結果、照明表示したい部分を表示パネルに対して複数分散配置することが可能となるので、照明設計上の自由度（デザイン自由度や構造自由度）を向上することができる。
【００１９】
請求項２に記載された発明によれば、上記構成によって、以下のような作用効果を得ることができる。即ち、内側遮光壁部と外側遮光壁部とが、表示パネルの裏面とコントローラ本体の内部との互いに対向する位置から突設されて、互いに嵌合可能な嵌合部とされたことにより、光源から内側遮光壁部と外側遮光壁部とを通ってスライド操作口へ向かう光の経路を袋小路状またはラビリンス状にすることができるので、光漏れを有効に防止することができる。
【００２０】
請求項３に記載された発明によれば、上記構成によって、以下のような作用効果を得ることができる。即ち、外側遮光壁部の少なくとも下辺部が、コントローラ本体に対して取外可能な別付壁部とされたことにより、コントローラ本体の形状の複雑な外側遮光壁部の部分を分割してコントローラ本体の成形性を向上することができる。
【００２１】
請求項４に記載された発明によれば、上記構成によって、以下のような作用効果を得ることができる。即ち、スライド機構は、コントローラ本体に設けられたスライドガイド部に沿ってスライド体がスライドすることによって、スライドレバーをコントローラ本体に対してスライドさせることができる。
【００２２】
そして、外側遮光壁部が、スライドガイド部の周囲に設けられることにより、コントローラ本体に対して外側遮光壁部とスライドガイド部とをスペース効率良く配置することができる。また、外側遮光壁部を最も小型で無駄のないものとすることができる。これにより、外側遮光壁部の内側に嵌合される内側遮光壁部や、更にその内側のスライド操作口も小型化することができる。
【００２３】
更に、コントローラ本体の外側遮光壁部の上辺部よりも奥側に設けられた接続用開口部に、少なくとも前記スライド体の上部に設けられた接続用突出部を通すことにより、接続用突出部をコントローラ本体の外に出して、コントローラ本体の外側に位置するリンク部材を接続することができるようになる。
【００２４】
この際、スライドガイド部の少なくとも一部を、別付壁部と一体に取外せるようにしたことにより、接続用突出部をコントローラ本体の外に出すための外部接続用構造部を、スライド機構と組合せて一体的に形成することができるようになると共に、外部接続用構造部とスライド機構とを上下方向の寸法が小さくなるようにすることができる。
【００２５】
請求項５に記載された発明によれば、上記構成によって、以下のような作用効果を得ることができる。即ち、内側遮光壁部と外側遮光壁部との間に形成される隙間部が、内部に入った光を減衰させる光減衰部を有することにより、隙間部を若干大き目に設定しても光漏れを起こし難くすることができる。これにより、隙間部をより容易に形成することができるようになる。
【００２６】
請求項６に記載された発明によれば、上記構成によって、以下のような作用効果を得ることができる。即ち、表示パネルにおける、スライド操作口の上側に、光源からの光によって照明表示可能な上部表示部が設けられ、外側遮光壁部の上側に、光源からの光を上部表示部へ導くガイドレンズが配設されたことにより、光源からの光をガイドレンズを介してスライド操作口の上側の上部表示部へ導いて、上部表示部を照明させることができる。この際、ガイドレンズの下側には、内側遮光壁部と外側遮光壁部とによる多重壁部が設けられているため、ガイドレンズからスライド操作口への光漏れを確実に防止することができる。その結果、光漏れを気にせずにスライド操作口の上側に上部表示部を設置することが可能となる。
【００２７】
請求項７に記載された発明によれば、上記構成によって、以下のような作用効果を得ることができる。即ち、内側遮光壁部の下辺部が、操作時にスライドレバーの下面を支持可能なものとされたことにより、片持状態で設置されるスライドレバーの中間部下面を下側から支持して、スライドレバーの変形や破損を防止することができる。
【図面の簡単な説明】
【００２８】
【図１】本発明の実施例にかかる空調コントローラの正面図である。
【図２】図１のＡ−Ａ線に沿った縦断面図である。
【図３】図１のスライド操作口部分の横断面図である。
【図４】図１の分解斜視図である。
【図５】図４を更に細かく分解した分解斜視図である。
【図６】図５の表示パネル部分の分解斜視図である。
【図７】図６の表示パネルの背面図である。
【図８】図５のコントローラ本体の斜視図である。
【図９】図８の正面図である。
【図１０】図８の平面図である。
【図１１】図８の側面図である。
【図１２】図３の部分拡大図である。
【図１３】図９の部分拡大図である。
【図１４】スライド機構の斜視図である。
【図１５】コントローラ本体に対する別付壁部の取付図である。
【発明を実施するための形態】
【００２９】
自動車などの車両には、車室内の前部にインストルメントパネルが設置されている。このインストルメントパネルの車幅方向の中央部などには、空調装置を操作するための空調コントローラが設けられる。
【００３０】
以下、本実施の形態を具体化した実施例を、図面を用いて詳細に説明する。
【００３１】
図１〜図１５は、この実施例およびその変形例を示すものである。
【実施例】
【００３２】
＜構成＞以下、構成について説明する。
【００３３】
（基本的な構成）
先ず、図１は、上記した空調コントローラ１の正面図であり、図２は図１の縦断面図、図３は図１の横断面図である。
【００３４】
主に、図１に示すように、この空調コントローラ１は、上下方向の中央部に、右側から順番に、操作部としての、空調モード切替部２と、風量調節部３と、空調温度調節部４とを順に有している。また、空調コントローラ１の下部には、右側から順番に、操作部としての、空調オンオフ用スイッチ部５と、リアヒーター用スイッチ部６とを順に有している。更に、空調コントローラ１の上部には、操作部としての内外気切換部７を有している。
【００３５】
この場合、上記した空調モード切替部２および空調温度調節部４は、同じ高さに配置され、上記した風量調節部３は、空調モード切替部２および空調温度調節部４よりも若干低い位置に配置されている。そして、上記した空調オンオフ用スイッチ部５は、空調モード切替部２と風量調節部３との間の位置の下側に配置されており、また、上記したリアヒーター用スイッチ部６は、風量調節部３と空調温度調節部４との間の位置の下側に配置されている。また、上記した内外気切換部７は、風量調節部３の上側で、且つ、空調モード切替部２と空調温度調節部４との上部間の位置に配置されている。但し、これら操作部の配置は、上記に限るものではない。
【００３６】
そして、上記した各操作部（空調モード切替部２、風量調節部３、空調温度調節部４、空調オンオフ用スイッチ部５、リアヒーター用スイッチ部６、内外気切換部７）には、これらを個別に照明するための照明表示部１２〜１７がそれぞれ設けられている。
【００３７】
このうち、空調モード切替部２と、風量調節部３と、空調温度調節部４と、空調オンオフ用スイッチ部５と、リアヒーター用スイッチ部６とには、これらが直接照明されるように照明表示部１２〜１６が設けられている。また、内外気切換部７には、その上部が照明されるように照明表示部１７が設けられている。
【００３８】
なお、これらの詳細については、後述する。また、図２、図３についても後述する。
【００３９】
そして、図４は空調コントローラ１の分解斜視図であり、この図に示すように、上記した空調コントローラ１は、大きく分けて、内部に光源２１が設置されるコントローラ本体２２と、このコントローラ本体２２の表面に光源２１を覆うように取付けられることにより、照明表示が可能とされた表示パネル２３とを有している。
【００４０】
そして、この空調コントローラ１は、表示パネル２３に形成された長孔状のスライド操作口２４を有すると共に、コントローラ本体２２に取付けられて、少なくとも先端部がスライド操作口２４に沿ってスライド可能なスライドレバー２５を有している。
【００４１】
（補足説明）
ここで、上記した「空調コントローラ１」は、文字通り、空調装置を操作するための操作パネルであり、各種のものが存在している。この場合には、空調装置を手動操作するためのものなどとされている。
【００４２】
上記した「光源２１」には、電球やＬＥＤなどを使用することができる。光源２１は、極力数を少なくして最大の照明効果が得られるようにすることが望ましい。この場合には、２個とされているが、１個としたり、３個以上としたりすることもできる。この場合、２個の光源２１は、上記した空調オンオフ用スイッチ部５の上部の位置と、リアヒーター用スイッチ部６の上部の位置とに対してそれぞれ配置されている。
【００４３】
上記した「コントローラ本体２２」は、樹脂製のものとされている。このコントローラ本体２２は、ほぼ垂直なベースプレート２２Ｘと、このベースプレート２２Ｘの手前面側に、上記した各操作部を取囲むように連続して形成された遮光リブ２２Ｙとを一体に有している。この場合、遮光リブ２２Ｙは、ほぼ横長の長円形状の壁部などとされている。但し、空調オンオフ用スイッチ部５と、リアヒーター用スイッチ部６とが若干下目に取付けられているのに伴い、この部分が下方へ突出した形状となっている。但し、遮光リブ２２Ｙの形状は、これに限るものではない。
【００４４】
一方、上記した「表示パネル２３」は、樹脂製のものとされている。この表示パネル２３は、ほぼ垂直な表示面２３Ｘと、この表示面２３Ｘの周縁部に、上記した遮光リブ２２Ｙに対して嵌合（外嵌）可能に形成された取付フランジ部２３Ｙとを一体に有している。この取付フランジ部２３Ｙは、上記した遮光リブ２２Ｙと同様に、周方向へ連続するように形成されている。表示パネル２３は、上記した遮光リブ２２Ｙの形状に合わせた大きさおよび形状（この場合には、ほぼ横長の長円形状）とされている。
【００４５】
そして、遮光リブ２２Ｙに取付フランジ部２３Ｙを外嵌させるようにして、コントローラ本体２２と表示パネル２３とを組合せることによって、遮光構造を有する空調コントローラ１が構成されるようになっている。そして、光源２１を点灯することによって、表示パネル２３に設けられた照明表示部１２〜１７が、同時に透過照明されるようになっている。この際、光源２１からの光は、直接表示パネル２３へ向かったり、コントローラ本体２２の内面で反射されてから間接的に表示パネル２３へ向かったりすることになる。
【００４６】
なお、コントローラ本体２２の遮光リブ２２Ｙと、表示パネル２３の取付フランジ部２３Ｙとの間は、爪固定部２６によって係止固定される。
【００４７】
これに対し、上記した「スライド操作口２４」は、横方向（車幅方向など）へ延びるスリット状のものとされている。このスライド操作口２４は、少なくともスライドレバー２５のスライド範囲に亘って延びるものとされる。なお、構造的には、スライド操作口２４は、縦方向（上下方向）へ延びるものとすることも可能である。
【００４８】
そして、上記した「スライドレバー２５」は、コントローラ本体２２から表示パネル２３へ向かって延びるものとされると共に、その先端部がスライド操作口２４を貫通して表示パネル２３の手前側へ突出されるようになっている。
【００４９】
なお、これらのスライド操作口２４やスライドレバー２５は、上記した内外気切換部７を構成するものとされている。
【００５０】
以下、上記した空調コントローラ１の詳細構造について説明する。先ず、図５は、図４を更に細かく分解した分解斜視図である。
【００５１】
そして、上記した空調モード切替部２は、操作ダイアル２ａと、操作ダイアル２ａを軸支するダイアル回動軸部２ｂと、ダイアル回動軸部２ｂによって回動されるギア部２ｃとを有している。そして、空調モード切替部２の照明表示部１２は、操作ダイアル２ａの周囲を取囲むように表示パネル２３の表面に貼付けられるリング状の表示板１２ａと、この表示板１２ａの裏側に設置されるガイドレンズ１２ｂ（図６参照）とを有している。なお、ギア部２ｃは、コントローラ本体２２の裏面側に取付けられている。また、表示板１２ａは、透過照明が可能なものとされる。
【００５２】
また、上記した風量調節部３は、操作ダイアル３ａと、ロータリースイッチ３ｂとを有している。そして、風量調節部３の照明表示部１３は、操作ダイアル３ａの周囲を取囲むように表示パネル２３の表面に貼付けられるリング状の表示板１３ａと、この表示板１３ａの裏側に設置されるガイドレンズ１３ｂ（図６参照）とを有している。なお、ロータリースイッチ３ｂは、後述するように、コントローラ本体２２の裏面側に、基板部２７を介して取付けられる。また、表示板１２ａは、透過照明が可能なものとされる。
【００５３】
同様に、上記した空調温度調節部４は、操作ダイアル４ａと、操作ダイアル４ａを軸支するダイアル回動軸部４ｂと、ダイアル回動軸部４ｂによって回動されるギア部４ｃとを有している。そして、空調温度調節部４の照明表示部１４は、操作ダイアル４ａの周囲を取囲むように表示パネル２３の表面に貼付けられるリング状の表示板１４ａと、この表示板１４ａの裏側に設置されるガイドレンズ１４ｂ（図６参照）とを有している。なお、ギア部４ｃは、取付補助部材４ｄを介してコントローラ本体２２の裏面側に取付けられる。また、表示板１２ａは、透過照明が可能なものとされる。
【００５４】
そして、図６に示すように、上記した空調オンオフ用スイッチ部５は、スイッチノブ５ａと、スイッチ接点部５ｂ（図５または図９に位置のみ示す）とを有している。また、空調オンオフ用スイッチ部５の照明表示部１５として、スイッチノブ５ａの表面に透過表示部１５ａが形成され、また、スイッチ接点部５ｂの近傍に専用の光源１５ｂ（図５または図９に位置のみ示す）を有している。この光源１５ｂには、ＬＥＤなどが使用されている。
【００５５】
同様に、上記したリアヒーター用スイッチ部６は、スイッチノブ６ａと、スイッチ接点部６ｂ（図５または図９に位置のみ示す）とを有している。また、リアヒーター用スイッチ部６の照明表示部１６として、スイッチノブ６ａの表面に透過表示部１６ａが形成され、また、スイッチ接点部６ｂの近傍に専用の光源１６ｂ（図５または図９に位置のみ示す）とを有している。この光源１６ｂには、ＬＥＤなどが使用されている。
【００５６】
なお、上記した光源２１と、風量調節部３のロータリースイッチ３ｂと、空調オンオフ用スイッチ部５のスイッチ接点部５ｂおよび光源１５ｂと、リアヒーター用スイッチ部６のスイッチ接点部６ｂおよび光源１６ｂとは、図５に示すような基板部２７に組付けられて、コントローラ本体２２の裏面側に取付けられるようになっている。
【００５７】
そして、図５に示すように、上記した内外気切換部７は、上記したスライドレバー２５と、コントローラ本体２２の外側に取付けられるリンク部材２８とを有している。スライドレバー２５の先端部には、必要に応じて、操作摘み（図示せず）が取付けられる。また、コントローラ本体２２の裏面側には、上記したリンク部材２８を取付けるための棚状の取付部２２Ｚが一体に設けられる。この取付部２２Ｚは、ベースプレート２２Ｘに対してほぼ垂直な状態で一体に張出形成される。そして、リンク部材２８は、棚状の取付部２２Ｚに設けられた回動軸部２８ａによって、横方向へ回動自在に軸支される。
【００５８】
また、上記したリンク部材２８には、図示しないワイヤーなどの索状連結部材が連結される。この索状連結部材を介して、図示しない空調装置の空気入口部に設けられた空気入口切替用ドア部などに接続される。
【００５９】
更に、内外気切換部７の上側には、内外気切換部７の照明表示部１７として、横長形状の表示板１７ａと、この表示板１７ａの裏側に設置されるガイドレンズ１７ｂ（図６参照）とが設けられる。
【００６０】
そして、図６の分解斜視図に示すように、上記した各操作部や照明表示部１２〜１７は、表示パネル２３に対し、以下のようにして設置されている。
【００６１】
このうち、上記した空調モード切替部２の操作ダイアル２ａと、風量調節部３の操作ダイアル３ａと、空調温度調節部４の操作ダイアル４ａとは、それぞれ表示パネル２３に形成された短円筒状部分の頂部の中心部分に形成された軸孔部を利用して設置される。この短円筒状部分の裏側には、上記した各ガイドレンズ１２ｂ、ガイドレンズ１３ｂ、ガイドレンズ１４ｂが収容される。
【００６２】
また、照明表示部１２〜１４の表示板１３ａ、表示板１３ａ、表示板１４ａは、それぞれ上記した短円筒状部分の頂部の外周部に沿って形成された貼付面に貼付けられる。この貼付面には、各表示板１２ａ、表示板１３ａ、表示板１４ａと、各ガイドレンズ１２ｂ、ガイドレンズ１３ｂ、ガイドレンズ１４ｂとが直接対面し得るようにするための抜き孔が適宜形成される。
【００６３】
また、上記した空調オンオフ用スイッチ部５と、リアヒーター用スイッチ部６とは、表示パネル２３に一体に形成された、裏面側へ延びる筒状のガイド部に設置される。
【００６４】
そして、上記した内外気切換部７は、上記したスライド操作口２４に設置される。また、上記した照明表示部１７の表示板１７ａは、上記したスライド操作口２４の上側に形成された横長形状の穴部に貼付けられる。この穴部は、その周縁部に表面側へ突出するリブを有している。この穴部には、上記したガイドレンズ１７ｂが収容される。
【００６５】
そして、上記した各ガイドレンズ１２ｂ、１３ｂ、１４ｂ、１７ｂは、互いに連結されて一体化されている（一体レンズ部）。
【００６６】
なお、上記した各ガイドレンズ１２ｂ、１３ｂ、１４ｂ、１７ｂは、図７に示すように、表示パネル２３の裏面側に設置され、ネジなどによって固定される。
【００６７】
一方、図８〜図１１に示すように（主に、図８参照）、上記した各操作部などは、上記したコントローラ本体２２に対し、以下のようにして設置されている。
【００６８】
このうち、上記した空調モード切替部２のダイアル回動軸部２ｂと、空調温度調節部４のダイアル回動軸部４ｂとは、コントローラ本体２２に設けられた軸支部に軸支される。また、上記した風量調節部３のロータリースイッチ３ｂは、上記した基板部２７に取付けられた状態で、コントローラ本体２２に手前側へ向けて突設されたスイッチ収容部に裏面側から収容保持される。
【００６９】
また、上記した空調オンオフ用スイッチ部５のスイッチ接点部５ｂおよびリアヒーター用スイッチ部６のスイッチ接点部６ｂと、上記した照明表示部１５の光源１５ｂおよび照明表示部１６の光源１５ｂとは、上記した基板部２７に取付けられた状態で、コントローラ本体２２に設けられた穴部を通して裏面側から内部へ挿入配置される。
【００７０】
同様に、上記した光源２１は、上記した基板部２７に取付けられた状態で、コントローラ本体２２に設けられた穴部を通して裏面側から内部へ挿入配置される。
【００７１】
そして、以上のような基本構成に対し、この実施例のものでは、以下のような構成を備えるようにしている。
【００７２】
（構成１）
図２、図３の断面図（および、図１２の拡大図）に示すように、上記したスライド操作口２４の近傍に、上記した光源２１からの光が上記したスライド操作口２４から外部へ漏れないようにするための漏光防止部３１を設ける。
【００７３】
そして、図１２（図１３も併せて参照）に示すように、この漏光防止部３１が、上記した表示パネル２３の裏面に設けられて、上記したスライド操作口２４の周囲を少なくとも部分的に覆う内側遮光壁部３２と、上記したコントローラ本体２２の内部に設けられて、上記した内側遮光壁部３２の外側を少なくとも部分的に覆う外側遮光壁部３３と、を有する多重壁部３４で構成されるようにする。
【００７４】
（補足説明１）
ここで、上記した「内側遮光壁部３２」は、表示パネル２３に一体に形成されている。
【００７５】
また、上記した「外側遮光壁部３３」は、少なくとも一部がコントローラ本体２２に一体に形成されている。
【００７６】
この場合、上記した「内側遮光壁部３２」と「外側遮光壁部３３」とは、それぞれほぼ連続した閉ループ状となるように構成されているが、光漏れが生じないような箇所が１箇所または複数箇所ある場合には、その部分を局部的に切欠くことによって不連続の開ループ状となるようにしても良い。または、上記した遮光リブ２２Ｙや取付フランジ部２３Ｙなどと合流させたり分岐させたりすることによって、遮光リブ２２Ｙや取付フランジ部２３Ｙの少なくとも一部を利用するようにしても良い。
【００７７】
上記した「多重壁部３４」は、図１２に示すように、少なくとも部分的に三重以上の壁部となるようにしても良い。
【００７８】
（構成２）
図２（図３も併せて参照）に示すように、上記した内側遮光壁部３２と外側遮光壁部３３とが、上記した表示パネル２３の裏面とコントローラ本体２２の内部との互いに対向する位置から突設されて、互いに嵌合可能な嵌合部３５とされるようにする。
【００７９】
（補足説明２）
ここで、「嵌合部３５」は、表示パネル２３とコントローラ本体２２とを組付状態にした時に、対向されると共に、嵌合されるものである。
【００８０】
更に、図１２に示すように、上記した内側遮光壁部３２と外側遮光壁部３３との間に、両者の嵌合を容易化するための嵌合用隙間部３６が形成されるようにしても良い。この場合には、嵌合用隙間部３６が、上記したスライド操作口２４への光漏れを防止可能な間隔に設定されるようにする（漏光防止用僅少隙間部）。
【００８１】
なお、上記した嵌合用隙間部３６の大きさは、トライアンドエラーによって求めるようにする。ちなみに、嵌合用隙間部３６の大きさは、おおむね１ミリ程度以下の狭いものとされる。
【００８２】
（構成３）
そして、図１３に示すように、上記した外側遮光壁部３３の少なくとも下辺部３３ａが、上記したコントローラ本体２２に対して取外可能な別付壁部３７となるようにする。
【００８３】
（補足説明３）
ここで、上記した外側遮光壁部３３は、大きく下辺部３３ａと上辺部３３ｂとに分けられており、下辺部３３ａが別付壁部３７とされている。この別付壁部３７は、コントローラ本体２２に対してネジ止めされる。
【００８４】
また、外側遮光壁部３３の上辺部３３ｂと、下辺部３３ａとのそれぞれに対して左右の側辺部３３ｃと側辺部３３ｄとが設けられている。そして、上辺部３３ｂと下辺部３３ａとに対してそれぞれ設けられた左右の側辺部３３ｃ、側辺部３３ｄは、上記したように、互いに重複されて三重壁部を構成している。
【００８５】
（構成４）
更に、図２、図３に示すように、上記したスライドレバー２５が、上記したコントローラ本体２２に対し、スライド機構４１を介して取付けられる。
【００８６】
そして、例えば、図１４に示すように、このスライド機構４１が、上記したコントローラ本体２２の側に設けられたスライドガイド部４２と、上記したスライドレバー２５の奥側端部に設けられて、上記したスライドガイド部４２に沿ってスライドするスライド体４３とを有するものとされる。
【００８７】
そして、図１３に示すように、上記した外側遮光壁部３３が、上記したスライドガイド部４２の周囲に設けられるようにする。
【００８８】
更に、図１４に示すように、上記したスライドレバー２５と上記したコントローラ本体２２との間に、コントローラ本体２２の外側に位置するリンク部材２８に接続するための外部接続用構造部４４が設けられる。
【００８９】
この外部接続用構造部４４が、上記したスライド体４３の上部に設けられて、上記したリンク部材２８を接続するための接続用突出部４５と、上記したコントローラ本体２２における、上記した外側遮光壁部３３の上辺部３３ｂよりも奥側に設けられて、上記した接続用突出部４５をコントローラ本体２２の外側へ取出すための接続用開口部４６（図２参照）とを有するものとされる。
【００９０】
そして、図１４に示すように、上記したスライドガイド部４２の少なくとも一部が、上記した別付壁部３７と一体に取外可能に設けられるようにする。
【００９１】
（補足説明４）
ここで、上記した「スライドガイド部４２」は、下ガイド部４２ａと、上ガイド部（図示せず）とで構成される。下ガイド部４２ａには、奥行き方向の中間部に横方向へ延びる下レール部４２ｃが設けられている。
【００９２】
これに対し、上記した「スライド体４３」は、その下面に下ガイド部４２ａに沿って案内される下部案内面４３ａを有すると共に、その上面の手前側部分に上ガイド部に沿って案内される上部案内面４３ｂを有するものとされる。更に、スライド体４３には、下部案内面４３ａに、上記した下レール部４２ｃによって案内されるガイド溝部４３ｃが設けられている。
【００９３】
このスライドガイド部４２は、下ガイド部４２ａと上ガイド部とによって、スライド体４３の下部案内面４３ａと上部案内面４３ｂとを上下から挟んだ状態で案内するものとされる。
【００９４】
そして、上記した「接続用突出部４５」は、スライド体４３の上ガイド部よりも奥側の位置に設けられる。これに対し、リンク部材２８の先端部には、接続用突出部４５を前後方向へスライド自在に挟着するための二股状部が設けられている。
【００９５】
上記した「接続用開口部４６」は、横方向へ延びる開口とされる。接続用開口部４６は、少なくとも接続用突出部４５のスライド範囲に亘って設けられている。この接続用開口部４６は、コントローラ本体２２のベースプレート２２Ｘに対し、遮光リブ２２Ｙと棚状の取付部２２Ｚとの間に位置するように形成されている（特に図示せず）。
なお、上記した別付壁部３７は、図１５に示すように、コントローラ本体２２に対して手前側から取付けられ、手前側からねじ止めされる。
【００９６】
（構成５）
そして、図１２に示すように、上記した内側遮光壁部３２と外側遮光壁部３３との間に形成される隙間部（嵌合用隙間部３６）が、内部に入った光を減衰させる光減衰部４７を有するものとされる。
【００９７】
（補足説明５）
ここで、上記した光減衰部４７として、例えば、内側遮光壁部３２と外側遮光壁部３３との少なくとも一方に、光の反射率が低く、また、光を吸収し易い、暗色系材料を用いることができる。この場合には、表示パネル２３に暗色系材料として黒色の樹脂を用いるようにしている。また、上記した別付壁部３７についても、暗色系材料として黒色の樹脂を用いるようにしている。
【００９８】
これに対し、コントローラ本体２２については、光源２１からの光を表示パネル２３側へ向けて反射させることにより、照明表示のための光量を確保する必要があるため、反射し易い明色系材料で構成するようにしている。この場合には、コントローラ本体２２は、明色系材料として白色の樹脂を用いるようにしている。但し、このようにしても、嵌合用隙間部３６では、白色のコントローラ本体２２の外側遮光壁部３３で反射した光が、黒色の表示パネル２３の内側遮光壁部３２によって減衰されるという作用を何度も繰返すことで、徐々に光が減衰されて行くので、充分な光減衰効果を得ることが可能である。そして、上記したように、別付壁部３７を、黒色の樹脂で構成することにより、外側遮光壁部３３における白色の部分を少なくすることができる。
【００９９】
また、光減衰部４７としては、上記の他に、または、上記に加えて、内側遮光壁部３２と外側遮光壁部３３との少なくとも一方または一部に対し、つや消し加工（微細凹凸加工やシボ加工など）や、つや消し塗装などを施すことなどもできる。
【０１００】
（構成６）
図６、図７に示すように、上記した表示パネル２３における、上記したスライド操作口２４の上側に、光源２１からの光によって照明表示可能な上部表示部（照明表示部１７）が設けられるようにする。そして、上記した外側遮光壁部３３の上側に、光源２１からの光を上記した上部表示部へ導くガイドレンズ１７ｂが設置されるようにする。
【０１０１】
（補足説明６）
ここで、上記「上部表示部」は、上記した照明表示部１７とされる。
【０１０２】
上記した「ガイドレンズ１７ｂ」は、上記した照明表示部１７のものとされる。このガイドレンズ１７ｂは、スライド操作口２４に非常に近接していることにより、スライド操作口２４からの漏光の原因となる可能性が高いものであるが、スライド操作口２４の周囲に漏光防止部３１を有することによって、漏光の心配をせずに配置できるようになったものである。
【０１０３】
（構成７）
上記した内側遮光壁部３２が、操作時にスライドレバー２５の下面を支持可能となるようにする。
【０１０４】
（補足説明７）
ここで、図２では、上記した内側遮光壁部３２は、その下辺部３２ａが、スライドレバー２５の下面に対して、通常時には接触しないが、スライドレバー２５の自重や操作時の入力による下方への撓みが生じた場合に、その撓み量とほぼ同じ量の間隔を有して配置されている。
【０１０５】
＜作用＞以下、この実施例の作用について説明する。
【０１０６】
図１に示す空調コントローラ１は、空調モード切替部２を操作することにより、空調モードを切替えることができる。風量調節部３を操作することにより、風量を調節することができる。空調温度調節部４を操作することにより、空調温度を調節することができる。空調モードには、窓ガラスへ向けて空調風を吹出すようにした窓曇り防止モードや、乗員の上半身へ向けて空調風を吹出すようにしたベントモードや、乗員の上半身へ向けて空調風を吹出すようにしたフットモードなどがある。
【０１０７】
そして、空調オンオフ用スイッチ部５を押すことにより、空調装置のオンオフを操作することができる。リアヒーター用スイッチ部６を押すことにより、リアヒーターのオンオフを操作することができる。
【０１０８】
更に、内外気切換部７をスライドさせることにより、内気循環と外気導入とを切換えることができる。
【０１０９】
＜効果＞この実施例によれば、以下のような効果を得ることができる。
【０１１０】
（作用効果１）
コントローラ本体２２と表示パネル２３とを組合せることによって空調コントローラ１の外形形状がほぼ形成されると共に、遮蔽構造が構築される。そして、コントローラ本体２２内部に設置された光源２１を点灯することにより、表示パネル２３が照明表示される。
【０１１１】
表示パネル２３に形成されたスライド操作口２４からは、スライドレバー２５の先端部が突出される。スライドレバー２５は、先端部をスライド操作口２４に沿ってスライドさせることにより、手動で操作することができる。
【０１１２】
そして、スライド操作口２４の近傍に漏光防止部３１を設けることによって、空調コントローラ１に部分的に設けられる漏光防止部３１にて、光源２１からの光がスライド操作口２４から外部へ漏れないようにすることができる。
【０１１３】
この際、漏光防止部３１を、表示パネル２３の裏面に設けられて、スライド操作口２４の周囲を少なくとも部分的に覆う内側遮光壁部３２と、コントローラ本体２２の内部に設けられて、内側遮光壁部３２の外側を少なくとも部分的に覆う外側遮光壁部３３とを有する多重壁部３４とすることによって、効果的に光漏れを防止することができる。そして、スライド操作口２４の周囲以外の部分に対しては、光源２１からの光を、容易に行き渡らせることができる。
【０１１４】
その結果、照明表示したい部分を表示パネル２３に対して複数分散配置することが可能となるので、照明設計上の自由度（デザイン自由度や構造自由度）を向上することができる。
【０１１５】
（作用効果２）
内側遮光壁部３２と外側遮光壁部３３とが、表示パネル２３の裏面とコントローラ本体２２の内部との互いに対向する位置から突設されて、互いに嵌合可能な嵌合部３５とされたことにより、光源２１から内側遮光壁部３２と外側遮光壁部３３とを通ってスライド操作口２４へ向かう光の経路を袋小路状またはラビリンス状にすることができるので、光漏れを有効に防止することができる。
【０１１６】
（作用効果２ａ）
内側遮光壁部３２と外側遮光壁部３３との間に、両者の嵌合を容易化するための嵌合用隙間部３６が形成されたことにより、コントローラ本体２２に対する表示パネル２３の組付性を向上することができる。即ち、コントローラ本体２２に対して表示パネル２３を組付ける際には、表示パネル２３とコントローラ本体２２との内側に隠れる内側遮光壁部３２と外側遮光壁部３３との嵌合が手探り状態となるため、両者間に嵌合用隙間部３６を設けることによって、内側遮光壁部３２と外側遮光壁部３３との嵌合を容易且つ確実に行わせることが可能となる。
【０１１７】
そして、嵌合用隙間部３６を、スライド操作口２４への光漏れを防止可能な間隔に設定することにより、内側遮光壁部３２と外側遮光壁部３３との嵌合を容易化しつつ、光漏れも有効に防止することができる。
【０１１８】
（作用効果３）
外側遮光壁部３３の少なくとも下辺部３３ａが、コントローラ本体２２に対して取外可能な別付壁部３７とされたことにより、コントローラ本体２２の形状の複雑な外側遮光壁部３３の部分を分割してコントローラ本体２２の成形性を向上することができる。
【０１１９】
（作用効果４）
スライド機構４１は、コントローラ本体２２に設けられたスライドガイド部４２に沿ってスライド体４３がスライドすることによって、スライドレバー２５をコントローラ本体２２に対してスライドさせることができる。
【０１２０】
そして、外側遮光壁部３３が、スライドガイド部４２の周囲に設けられることにより、コントローラ本体２２に対して外側遮光壁部３３とスライドガイド部４２とをスペース効率良く配置することができる。また、外側遮光壁部３３を最も小型で無駄のないものとすることができる。これにより、外側遮光壁部３３の内側に嵌合される内側遮光壁部３２や、更にその内側のスライド操作口２４も小型化することができる。
【０１２１】
更に、コントローラ本体２２の外側遮光壁部３３の上辺部３３ｂよりも奥側に設けられた接続用開口部４６に、少なくとも上記したスライド体４３の上部に設けられた接続用突出部４５を通すことにより、接続用突出部４５をコントローラ本体２２の外に出して、コントローラ本体２２の外側に位置するリンク部材２８を接続することができるようになる。
【０１２２】
この際、スライドガイド部４２の少なくとも一部を、別付壁部３７と一体に取外せるようにしたことにより、接続用突出部４５をコントローラ本体２２の外に出すための外部接続用構造部４４を、スライド機構４１と組合せて一体的に形成することができるようになると共に、外部接続用構造部４４とスライド機構４１とを上下方向の寸法が小さくなるようにすることができる。
【０１２３】
（作用効果５）
内側遮光壁部３２と外側遮光壁部３３との間に形成される隙間部（嵌合用隙間部３６）が、内部に入った光を減衰させる光減衰部４７を有することにより、嵌合用隙間部３６を若干大き目に設定しても光漏れを起こし難くすることができる。これにより、嵌合用隙間部３６をより容易に形成することができるようになる。
【０１２４】
なお、外側遮光壁部３３の側辺部３３ｃと側辺部３３ｄとの間に形成される隙間部にも、光源２１からの光が入るが、上記と同様の光減衰部４７を設けることにより、上記と同様に光を減衰させることができる。
【０１２５】
（作用効果６）
表示パネル２３における、スライド操作口２４の上側に、光源２１からの光によって照明表示可能な上部表示部（照明表示部１７）が設けられ、外側遮光壁部３３の上側に、光源２１からの光を上部表示部へ導くガイドレンズ１７ｂが配設されたことにより、光源２１からの光をガイドレンズ１７ｂを介してスライド操作口２４の上側の上部表示部（照明表示部１７）へ導いて、上部表示部（照明表示部１７）を照明させることができる。
【０１２６】
この際、ガイドレンズ１７ｂの下側には、内側遮光壁部３２と外側遮光壁部３３とによる多重壁部３４が設けられているため、ガイドレンズ１７ｂからスライド操作口２４への光漏れを確実に防止することができる。その結果、光漏れを気にせずにスライド操作口２４の上側に上部表示部（照明表示部１７）を設置することが可能となる。
【０１２７】
（作用効果７）
内側遮光壁部３２の下辺部３２ａが、操作時にスライドレバー２５の下面を支持可能なものとされたことにより、片持状態で設置されるスライドレバー２５の中間部下面を下側から支持して、スライドレバー２５の変形や破損を防止することができる。
【０１２８】
以上、この発明の実施例を図面により詳述してきたが、実施例はこの発明の例示にしか過ぎないものであるため、この発明は実施例の構成にのみ限定されるものではなく、この発明の要旨を逸脱しない範囲の設計の変更等があってもこの発明に含まれることは勿論である。また、例えば、各実施例に複数の構成が含まれている場合には、特に記載がなくとも、これらの構成の可能な組合せが含まれることは勿論である。また、複数の実施例や変形例が示されている場合には、特に記載がなくとも、これらに跨がった構成の組合せのうちの可能なものが含まれることは勿論である。また、図面に描かれている構成については、特に記載がなくとも、含まれることは勿論である。更に、「等」の用語がある場合には、同等のものを含むという意味で用いられている。また、「ほぼ」「約」「程度」などの用語がある場合には、常識的に認められる範囲や精度のものを含むという意味で用いられている。
【符号の説明】
【０１２９】
１    空調コントローラ
１７  照明表示部（上部表示部）
１７ｂ  ガイドレンズ
２１  光源
２２  コントローラ本体
２３  表示パネル
２４  スライド操作口
２５  スライドレバー
２８  リンク部材
３１  漏光防止部
３２  内側遮光壁部
３２ａ  下辺部
３３  外側遮光壁部
３３ａ  下辺部
３３ｂ  上辺部
３４  多重壁部
３５  嵌合部
３６  嵌合用隙間部
３７  別付壁部
４１  スライド機構
４２  スライドガイド部
４３  スライド体
４４  外部接続用構造部
４５  接続用突出部
４６  接続用開口部
４７  光減衰部
【図１】
2014148187.tif 000003
【図２】
2014148187.tif 000004
【図３】
2014148187.tif 000005
【図４】
2014148187.tif 000006
【図５】
2014148187.tif 000007
【図６】
2014148187.tif 000008
【図７】
2014148187.tif 000009
【図８】
2014148187.tif 000010
【図９】
2014148187.tif 000011
【図１０】
2014148187.tif 000012
【図１１】
2014148187.tif 000013
【図１２】
2014148187.tif 000014
【図１３】
2014148187.tif 000015
【図１４】
2014148187.tif 000016
【図１５】
2014148187.tif 000017